(57)【要約】【課題】  カバー部材に形成された貫通孔から塵埃が侵入することを確実に防止することができる表示装置を提供する。【解決手段】  車速メータ１２の文字板１４を覆うカバー部材２０に形成された貫通孔２１の縁部２１ａに、貫通孔２１を経てカバー部材２０の前面に突出した操作ノブ１８を取り巻くように文字板１４から遠ざかる方向へ伸び、操作ノブ１８の最大ストロークよりも長く且つ操作ノブ１８をその最大ストロークで押し込んだときに先端２９ａからの操作ノブ１８の他端１８ｂの突出を許す長さを有する張出部２９を設ける。【選択図】  図２
2005308429.tif 000002
【特許請求の範囲】
【請求項１】
数値が表示される表示面を有する表示器本体と、貫通孔が形成され、前記表示器本体の前記表示面を覆うカバー部材と、前記表示器本体の表示を変更するための操作ノブであって前記カバー部材の前記貫通孔を経て前記カバー部材の前面に突出し、該前面へ向けて押し込み可能な操作ノブとを備え、前記カバー部材の前記貫通孔の縁部には、前記操作ノブに該操作ノブの上方へ間隔をおいて前記表示器本体から遠ざかる方向へ伸びる張出部が設けられており、該張出部の伸長方向の長さは、前記操作ノブの最大ストロークよりも長く且つ前記操作ノブをその最大ストロークで押し込んだときに前記張出部の先端からの前記操作ノブの先端の突出を許す長さであることを特徴とする表示装置。  
【請求項２】
前記張出部は、円筒状をなしており、その少なくとも前記操作ノブの上方側における上縁の伸長方向の長さは、前記操作ノブの最大ストロークよりも長く且つ前記操作ノブをその最大ストロークで押し込んだときに前記張出部の前記上縁の先端からの前記操作ノブの前記先端の突出を許す長さであることを特徴とする請求項１に記載の表示装置。
【請求項３】
前記操作ノブは、その軸線の周りに回転可能であり、前記張出部の前記上縁の伸長方向の長さから前記操作ノブの下方側における下縁の伸長方向の長さを差し引いた長さは、前記操作ノブの最大ストロークよりも長いことを特徴とする請求項２に記載の表示装置。
【請求項４】
前記張出部の口径は、その前記先端から前記カバー部材へ向けて漸増することを特徴とする請求項２又は３に記載の表示装置。
【発明の詳細な説明】
【技術分野】
【０００１】
本発明は、表示値を変更するための操作ノブを備える表示装置に関する。
【背景技術】
【０００２】
従来、表示値を変更するための操作ノブを備える表示装置として、例えば車両に設けられ、区間走行距離を計測するためのリセット可能なトリップメータが知られている（例えば、特許文献１参照。）。
【０００３】
トリップメータは、計測した数値が表示される表示面を有し、車室内に設けられたインストルメントパネルの計器板に配置される表示器本体と、計器板に支持され、表示器本体の表示面を覆うための透光性を有するカバー部材とを備える。トリップメータの操作ノブは、表示器本体の表示面に表示された数値を零にリセットするために操作される。操作ノブは、計器板に該計器板へ向けて押し込み可能に設けられており、カバー部材に形成された貫通孔を経てカバー部材の前面に突出している。操作ノブをカバー部材の前面へ向けて押し込み操作することにより、表示面に表示された数値が零にリセットされる。
【０００４】
カバー部材に形成された貫通孔の縁部には、表示器本体から離れる方向へ張り出す円筒状の張出部が設けられている。これにより、貫通孔の近傍に落下した塵埃が張出部に引っ掛かるため、塵埃が貫通孔から表示装置内に直接侵入することを抑制することができる。
【特許文献１】特開２００３−１７７８３１号（第４−５頁、第４図）
【発明の開示】
【発明が解決しようとする課題】
【０００５】
しかしながら、操作ノブの張出部の先端から突出した部分に付着した塵埃が、操作ノブの押し込み操作時に操作ノブに連行されてカバー部材の貫通孔から表示装置内に入り、表示装置内に落ちてしまうことがある。
【０００６】
本発明の目的は、カバー部材に形成された貫通孔から塵埃が侵入することを確実に防止することができる表示装置を提供することにある。
【課題を解決するための手段】
【０００７】
上記課題を解決するために、本発明は、数値が表示される表示面を有する表示器本体と、貫通孔が形成され、前記表示器本体の前記表示面を覆うカバー部材と、前記表示器本体の表示を変更するための操作ノブであって前記カバー部材の前記貫通孔を経て前記カバー部材の前面に突出し、該前面へ向けて押し込み可能な操作ノブとを備え、前記カバー部材の前記貫通孔の縁部には、前記操作ノブに該操作ノブの上方へ間隔をおいて前記表示器本体から遠ざかる方向へ伸びる張出部が設けられており、該張出部の伸長方向の長さは、前記操作ノブの最大ストロークよりも長く且つ前記操作ノブをその最大ストロークで押し込んだときに前記張出部の先端からの前記操作ノブの先端の突出を許す長さであることを特徴とする。
【０００８】
上記の構成では、カバー部材の貫通孔の縁部に設けられた張出部の伸長方向の長さが操作ノブの最大ストロークよりも長いことから、操作ノブの張出部の先端から突出した部分に塵埃がたとえ付着しても、その付着した塵埃は操作ノブの押し込み操作時に操作ノブの最大ストロークを超えて表示装置内に位置しないため、操作ノブに付着した塵埃が従来のように操作ノブの押し込み操作時に操作ノブによってカバー部材の貫通孔から表示装置内に連行されることはない。これにより、カバー部材の貫通孔から塵埃が表示装置内に侵入することを確実に防止することができる。また、張出部の伸長方向の長さが、操作ノブをその最大ストロークで押し込んだときに張出部の先端からの操作ノブの先端の突出を許す長さであることから、張出部が操作ノブの押し込み操作の妨げになることなく、操作ノブの押し込み操作を確実に行うことができる。
【０００９】
また、張出部を円筒状に形成することができ、その少なくとも操作ノブの上方側における上縁の伸長方向の長さを、操作ノブの最大ストロークよりも長く且つ操作ノブをその最大ストロークで押し込んだときに張出部の上縁の先端からの操作ノブの先端の突出を許す長さにすることができる。
【００１０】
更に、本発明を押し込み可能且つ軸線の周りに回転可能な操作ノブに用いることができ、円筒状の張出部を、その操作ノブの上方側における上縁の伸長方向の長さから、操作ノブの下方側における下縁の伸長方向の長さを差し引いた長さが操作ノブの最大ストロークよりも長くなるように形成することができる。
【００１１】
張出部の上縁の長さから下縁の長さを差し引いた長さが操作ノブの最大ストロークよりも短い場合、操作ノブの張出部の上縁の先端から突出した部分に付着した塵埃が、操作ノブが押し込まれた状態で回転操作されたときに張出部の下縁で受けられ、その後の操作ノブの押し込み操作により表示装置内に連行される虞がある。
【００１２】
これに対し、本発明では、張出部の上縁の長さから下縁の長さを差し引いた長さが操作ノブの最大ストロークよりも長いことから、操作ノブをその最大ストロークで押し込んだときでも、操作ノブの張出部の上縁の先端から突出した部分に付着した塵埃は張出部の下縁の先端よりカバー部材から離れる位置に位置する。このため、操作ノブを押し込んだ状態で回転操作しても、操作ノブに付着した塵埃を張出部の下縁で受けることなく張出部の下方へ落下させることができる。従って、カバー部材の貫通孔から表示装置内に塵埃が侵入することを確実に防止することができる。
【００１３】
また、張出部の口径を、その先端からカバー部材へ向けて漸増させることができる。これにより、カバー部材を例えば金型で成形する場合、成形されたカバー部材を金型から容易に取り出すことができ、また、カバー部材の貫通孔に操作ノブを貫通させる際、操作ノブを貫通孔に容易に貫通させることができる。
【発明の効果】
【００１４】
本発明によれば、カバー部材の貫通孔の縁部に設けられた張出部の伸長方向の長さが操作ノブの最大ストロークよりも長いことから、操作ノブの張出部の先端から突出した部分に塵埃がたとえ付着しても、その付着した塵埃は操作ノブの押し込み操作時に操作ノブの最大ストロークを超えて表示装置内に位置しないため、操作ノブに付着した塵埃が従来のようにカバー部材の貫通孔から表示装置内に連行されることはない。これにより、カバー部材の貫通孔から塵埃が表示装置内に侵入することを確実に防止することができる。
【発明を実施するための最良の形態】
【００１５】
本発明を図示の実施例に沿って説明する。
【実施例】
【００１６】
本実施例では、走行距離を表示するためのトリップメータ１１が、車両の走行速度を表示するための車速メータ１２に組み込まれた表示装置１０に本発明を用いた例を示す。
【００１７】
トリップメータ１１は、従来よく知られているように、任意の地点でリセット可能であり、リセットした地点から目的の地点までの比較的短い走行距離を計測するために用いられる走行距離計である。
【００１８】
車速メータ１２は、車両の図示しないインストルメントパネルに設けられている。車速メータ１２は、図１に示すように、表面１４ａに走行速度を示す目盛り、数字等の表示部１３が設けられた円形の文字板１４を備える。
【００１９】
文字板１４は、図２に示すように、両端が開放された円筒状のフロントハウジング１５内にその一方の開放端１５ａを閉鎖して配置されている。文字板１４には、その中心部に後述する回転軸１６の挿通を許す孔１７及びトリップメータ１１の後述する操作ノブ１８の挿通を許す挿通孔１９が形成されている。
【００２０】
フロントハウジング１５の他方の開放端１５ｂには、文字板１４をその表面１４ａ側から覆うための透光性を有する円形のカバー部材２０が設けられている。カバー部材２０は、その縁部２０ａでフロントハウジング１５の他方の開放端１５ｂに係止されている。また、カバー部材２０は、図示の例では、その上縁部２０ｂから下縁部２０ｃに向けて文字板１４との間隔が漸増するように傾斜して配置されている。これにより、文字板１４がカバー部材２０に反射した光で見難くなることが防止される。カバー部材２０には、文字板１４に形成された挿通孔１９に整合する位置でトリップメータ１１の操作ノブ１８の挿通を許す貫通孔２１が形成されている。
【００２１】
文字板１４の裏面側には、中心部に前記回転軸１６の挿通を許す挿通孔２２ａが形成された基板２２が文字板１４に平行に配置されている。また、文字板１４と基板２２との間には、円筒状のリアハウジング２３が挟持されている。基板２２には、その文字板１４側と反対側に計器ムーブメント２４が接続されている。計器ムーブメント２４は、基板２２から走行速度を示す電気信号を受けることにより作動する。計器ムーブメント２４の出力軸である前記した回転軸１６は、基板２２の挿通孔２２ａ及び文字板１４の孔１７を経て文字板１４の表面１４ａに突出しており、その文字板１４から突出した端部には指針２５が固定されている。計器ムーブメント２４の作動により、回転軸１６に固定された指針２５は走行速度に応じた回動位置まで回動する。
【００２２】
車速メータ１２に組み込まれたトリップメータ１１は、図１に示すように、計測値を表示するための表示器本体２６と、基板２２に設けられ、表示器本体２６の表示を制御するための図示しない制御回路とを備える。
【００２３】
表示器本体２６は、図示の例では、計測値をデジタル表示するための液晶パネル２７を有し、車速メータ１２の文字板１４の表面１４ａ上に設けられている。
【００２４】
また、トリップメータ１１は、図２に示すように、表示器本体２６に表示された計測値を零にリセットするための従来よく知られたリセットスイッチ２８と、該リセットスイッチを開接及び閉接するために操作される前記した操作ノブ１８とを備える。
【００２５】
リセットスイッチ２８は、図示の例では、リアハウジング２３内に固定された固定接点部２８ａと、リアハウジング２３内で文字板１４の挿通孔１９に対向するように配置され、固定接点部２８ａへ向けて押し込み可能な可動接点部２８ｂとを備える。リセットスイッチ２８は、その可動接点部２８ｂが固定接点部２８ａに押し付けられたときに閉接すなわちＯＮ状態となり、可動接点部２８ｂが固定接点部２８ａから離れたときに開接すなわちＯＦＦ状態となる。また、リセットスイッチ２８は、前記制御回路に接続されており、ＯＮ状態になる毎にリセット信号を前記制御回路に送る。
【００２６】
操作ノブ１８は、全体に棒状をなしており、その一端１８ａは文字板１４の挿通孔１９に挿通し、リセットスイッチ２８の可動接点部２８ｂに固定されている。また、操作ノブ１８の他端１８ｂは、カバー部材２０に形成された貫通孔２１を経てカバー部材２０の前面に突出している。すなわち、操作ノブ１８は、カバー部材２０の前面へ向けて押し込み可能であり、該前面へ向けての押し込み操作によりリセットスイッチ２８がＯＮ状態になる。
【００２７】
操作ノブ１８の押し込み操作によりリセットスイッチ２８がＯＮ状態になると、前記制御回路は、リセットスイッチ２８がＯＮ状態になったことを検知し、液晶パネル２７の表示を零にリセットする旨の制御信号を表示器本体２６に送る。これにより、液晶パネル２７に表示された計測値が零にリセットされる。
【００２８】
本発明に係る表示装置１０では、図３に示すように、カバー部材２０に形成された貫通孔２１の縁部２１ａに、貫通孔２１から表示装置１０内に塵埃が侵入することを防止するための張出部２９が設けられている。
【００２９】
張出部２９は、図示の例では、全体に円筒状をなしており、操作ノブ１８に間隔をおいて該操作ノブを取り巻くように文字板１４から離れる方向へ伸びている。張出部２９の口径は、その伸長方向の先端２９ａからカバー部材２０へ向けて漸増している。張出部２９の上方側における上縁３０の伸長方向の長さは、操作ノブ１８の押し込み操作時の最大ストロークよりも長い。また、張出部２９の上縁３０は、操作ノブ１８をその最大ストロークで押し込んだときに、その先端３０ａからの操作ノブ１８の他端１８ｂの突出を許す長さを有する。張出部２９の下方側における下縁３１の先端位置は、上縁３０の先端位置よりカバー部材２０側に位置している。
【００３０】
本実施例によれば、前記したように、カバー部材２０の貫通孔２１の縁部２１ａに設けられた張出部２９の上縁３０の長さが操作ノブ１８の最大ストロークよりも長いことから、操作ノブ１８の張出部２９の上縁３０の先端３０ａから突出した部分に塵埃がたとえ付着しても、その付着した塵埃は操作ノブ１８の押し込み操作時に操作ノブ１８の最大ストロークを超えて表示装置１０内に位置しないため、操作ノブ１８に付着した塵埃が従来のように操作ノブ１８の押し込み操作時にカバー部材２０の貫通孔２１から表示装置１０内に連行されることはない。これにより、カバー部材２０の貫通孔２１から塵埃が表示装置１０内に侵入することを確実に防止することができる。
【００３１】
また、前記したように、張出部２９の上縁３０の長さが、操作ノブ１８をその最大ストロークで押し込んだときに、その先端３０ａからの操作ノブ１８の他端１８ｂの突出を許す長さであることから、張出部２９が操作ノブ１８の押し込み操作の妨げになることなく、操作ノブ１８の押し込み操作を確実に行うことができる。
【００３２】
更に、前記したように、張出部２９の口径が、その先端２９ａからカバー部材２０へ向けて漸増していることから、カバー部材２０を例えば金型で成形する場合、成形されたカバー部材２０を金型から取り出すときに容易に取り出すことができ、また、カバー部材２０の貫通孔２１に操作ノブ１８を貫通させる際に操作ノブ１８の他端１８ｂを貫通孔２１に容易に貫通させることができる。
【００３３】
本実施例では、操作ノブ１８がカバー部材２０の前面へ向けて押し込み可能に設けられた例を示したが、これに代えて、操作ノブがカバー部材２０の前面へ向けて押し込み可能且つその軸線の周りに回転可能に設けられた表示装置に本発明を用いることができる。この場合、円筒状の張出部２９を、その上縁３０の伸長方向の長さから下縁３１の伸長方向の長さを差し引いた長さが操作ノブ１８の最大ストロークよりも長くなるように形成する。
【００３４】
張出部２９の上縁３０の長さから下縁３１の長さを差し引いた長さが操作ノブ１８の最大ストロークよりも短い場合、操作ノブ１８を押し込んだ状態で回転操作したとき、操作ノブ１８の張出部２９の上縁３０の先端３０ａから突出した部分に付着した塵埃を張出部２９の下縁３１で受け、その後の操作ノブ１８の押し込み操作により操作ノブ１８が塵埃を表示装置１０内に連行してしまう虞がある。
【００３５】
これに対し、前記したように、張出部２９の上縁３０の長さから下縁３１の長さを差し引いた長さが操作ノブ１８の最大ストロークよりも長いことから、操作ノブ１８をその最大ストロークで押し込んだときでも、操作ノブ１８の張出部２９の上縁３０の先端３０ａから突出した部分に付着した塵埃は、張出部２９の下縁３１の先端３１ａよりカバー部材２０から離れる方向に位置する。このため、操作ノブ１８を押し込んだ状態で回転操作しても、操作ノブ１８に付着した塵埃を張出部２９の下縁３１で受けることなく張出部２９の下方へ落下させることができる。従って、カバー部材２０の貫通孔２１から表示装置１０内に塵埃が侵入することを確実に防止することができる。
【００３６】
また、本実施例では、張出部２９が円筒状をなしている例を示したが、これに代えて、円筒状以外の例えば矩形状の縦断面を有する筒状に形成したり、操作ノブ１８をその上方から覆う庇状に形成したりすることができる。
【００３７】
また、本実施例では、カバー部材２０が、その上縁部２０ｂから下縁部２０ｃへ向けて文字板１４との間隔が漸増するように湾曲している例を示したが、これに代えて、上縁部２０ｂから下縁部２０ｃへ向けて文字板１４との間隔が漸減するように湾曲したカバー部材や、湾曲していないカバー部材を用いることができる。
【００３８】
更に、本発明をトリップメータ１１が組み込まれた車速メータ１２に用いた例を示したが、これに代えて、車速メータとは別に設けられるトリップメータや、照明の輝度を調節するための操作ノブを備える計器や、時刻合わせをするための操作ノブを備える時計等の表示装置１０に本発明を用いることができる。この場合、カバー部材２０は、それぞれの表示面を覆うように設けることができる。
【図面の簡単な説明】
【００３９】
【図１】本発明に係る表示装置を概略的に示す正面図である。
【図２】図１におけるI−I線に沿った縦断面図である。
【図３】本発明に係る表示装置の要部を概略的に示す縦断面図である。
【符号の説明】
【００４０】
２７  表示面（液晶パネル）
２６  表示器本体
２１  貫通孔
２０  カバー部材
１８  操作ノブ
２１ａ  縁部（貫通孔の縁部）
２９  張出部
２９ａ  先端（張出部の先端）
１８ｂ  先端（操作ノブの他端）
１０  表示装置
【図１】
2005308429.tif 000003
【図２】
2005308429.tif 000004
【図３】
2005308429.tif 000005